(57)【要約】【課題】空間分割を利用して高解像で高輝度な画像を投射することが可能な投射型表示装置およびそれに使用されるアダプタを提供すること【解決手段】第１の画像を表示するための第１の画像表示領域と、当該第１の画像表示領域とは異なる位置にあって第２の画像を表示するための第２の画像表示領域と、を有し、入力信号に従って入射光を変調する画像表示素子１と、画像表示素子を通過した光を結像するリレーレンズ２と、前記リレーレンズによって前記画像表示素子と共役な位置に配置され、前記画像表示素子の前記第１の画像表示領域を通過した光と前記第２の画像表示領域を通過した光の光学特性を異ならせる光学特性変換素子３Ａと、光学特性変換素子を通過した前記第１の画像表示領域を通過した光と前記第２の画像表示領域を通過した光を被投射面に投射する投射レンズ４と、を有する。【選択図】図１
2014211585.tif 000002
【特許請求の範囲】
【請求項１】
第１の画像を表示するための第１の画像表示領域と、当該第１の画像表示領域とは異なる位置にあって第２の画像を表示するための第２の画像表示領域と、を有し、入力信号に従って入射光を変調する画像表示素子と、
前記画像表示素子を通過した光を結像するリレーレンズと、
前記リレーレンズによって前記画像表示素子と共役になる位置に配置され、前記画像表示素子の前記第１の画像表示領域を通過した光と前記第２の画像表示領域を通過した光の光学特性を異ならせる光学特性変換素子と、
前記光学特性変換素子を通過した前記第１の画像表示領域を通過した光と前記第２の画像表示領域を通過した光を被投射面に投射する投射光学系と、
を有することを特徴とする投射型表示装置。
【請求項２】
前記光学特性は、偏光の位相差であることを特徴とする請求項１に記載の投射型表示装置。
【請求項３】
前記光学特性は、波長帯域であることを特徴とする請求項１に記載の投射型表示装置。
【請求項４】
前記光学特性変換素子は、構造複屈折素子によって構成されていることを特徴とする請求項２記載の投射型表示装置。
【請求項５】
前記光学特性変換素子は、位相差特性を切り替えるように駆動する駆動型液晶素子によって構成され、
前記画像表示素子は、前記駆動型液晶素子の位相差特性の切り替えに応じて前記第１の画像と前記第２の画像を交互に表示するように駆動されることを特徴とする請求項２に記載の投射型表示装置。
【請求項６】
前記光学特性変換素子は、第１の波長帯域の光を透過する第１のダイクロイックフィルタと、前記第１の波長帯域とは異なる第２の波長帯域の光を透過する第２のダイクロイックフィルタと、を有することを特徴とする請求項３に記載の投射型表示装置。
【請求項７】
前記第１の画像は左眼用画像であり、前記第２の画像は右眼用画像であることを特徴とする請求項１乃至６のうちいずれか１項に記載の投射型表示装置。
【請求項８】
前記第１の画像は投射される主要な画像であり、前記第２の画像は前記主要な画像に対する付加的な画像であることを特徴とする請求項１乃至６のうちいずれか１項に記載の投射型表示装置。
【請求項９】
前記第１の画像表示領域と第２の画像表示領域が前記画像表示素子の垂直方向、水平方向および対角方向のいずれか一つの方向に交互に配列されていることを特徴とする請求項１乃至８のうちいずれか１項に記載の投射型表示装置。
【請求項１０】
前記偏光の位相差は、＋λ／４と‐λ／４の位相差であることを特徴とする請求項２に記載の投射型表示装置。
【請求項１１】
前記偏光の位相差は、前記リレーレンズを通過した光の波長をλとすると０とλ／２の位相差であることを特徴とする請求項２に記載の投射型表示装置。
【請求項１２】
前記光学特性変換素子は、ＳＷＳ格子を有することを特徴とする請求項２に記載の投射型表示装置。
【請求項１３】
前記光学特性変換素子は、フィルム状位相差板を有することを特徴とする請求項２に記載の投射型表示装置。
【請求項１４】
前記画像表示素子は反射型表示素子であることを特徴とする請求項１乃至１３のうちいずれか１項に記載の投射型表示装置。
【請求項１５】
前記駆動型液晶素子は、透過型液晶素子であることを特徴とする請求項５に記載の投射型表示装置。
【請求項１６】
光路長を調整するためのダミーガラスを更に有することを特徴とする請求項１乃至１５のうちいずれか１項に記載の投射型表示装置。
【請求項１７】
前記画像表示素子を有する本体と、
前記投射光学系を有して前記本体に着脱可能に装着される鏡筒と、
前記リレーレンズと前記光学特性変換素子を有し、前記本体と前記鏡筒との間に着脱可能に装着されるアダプタと、
を有することを特徴とする請求項１乃至１６のうちいずれか１項に記載の投射型表示装置。
【請求項１８】
画像表示素子を有する本体と、投射光学系を有して前記本体に着脱可能に装着される鏡筒と、を有する投射型表示装置の、前記本体と前記鏡筒との間に着脱可能に装着されるアダプタであって、
前記画像表示素子は、第１の画像を表示するための第１の画像表示領域と、当該第１の画像表示領域とは異なる位置にあって第２の画像を表示するための第２の画像表示領域と、を有し、入力信号に従って入射光を変調し、
前記アダプタは、
前記画像表示素子を通過した光を結像するリレーレンズと、
前記リレーレンズに関して前記画像表示素子と共役な位置に配置され、前記画像表示素子の前記第１の画像表示領域を通過した光と前記第２の画像表示領域を通過した光の光学特性を異ならせる光学特性変換素子と、
を有し、
前記投射光学系は、前記光学特性変換素子を通過した前記第１の画像表示領域を通過した光と前記第２の画像表示領域を通過した光が合成された画像を被投射面に投射することを特徴とするアダプタ。
【請求項１９】
光路長を調整するためのダミーガラスを更に有することを特徴とする請求項１８に記載のアダプタ。
【請求項２０】
光学特性変換素子の前面にマイクロレンズを配置したことを特徴とする請求項１記載の投射型表示装置。
【発明の詳細な説明】
【技術分野】
【０００１】
本発明は、投射型表示装置およびそれに使用されるアダプタに関する。
【背景技術】
【０００２】
一つの画像表示素子に左目用画像と右眼用画像を同時に表示する空間分割を利用して立体画像を表示する投射型表示装置は知られている。例えば、特許文献１は、３つの光線を変調して３つの左目用波長別画像と３つの右眼用波長別画像を生成する画像生成部と、３つの左目用波長別画像と３つの右目用波長別画像をそれぞれ１つの合成画像に合成する画像合成部と、を有する投影装置を提案している。特許文献２は、表示パネルと投写レンズとの間に配置され、表示パネルからの光の偏光方向を互いに直交するように変換する偏光制御板及びレンチキュラーレンズ板を有する立体プロジェクタを提案している。
【先行技術文献】
【特許文献】
【０００３】
【特許文献１】特開２００９−３００９１４号公報
【特許文献２】特開２００２−１０７６６８号公報
【発明の概要】
【発明が解決しようとする課題】
【０００４】
しかしながら、特許文献１の方法は、表示画像の解像度を表示素子の解像度に対してほぼ半分にしてしまうため高解像なプロジェクタを実現することができない。これに対して、特許文献２の方法は、特許文献１の解像度低下の問題を解決しているものの、画像合成素子に入射する光の偏光状態が揃っていないので色光毎に表示素子を用いる場合に合成が困難になる。即ち、特許文献２では、その図５に示すように、色合成用ダイクロイックミラーは各色光の偏光制御板と投射レンズの間に配置されているが、偏光制御板は位相差を与えるものであるからこれを通過した後の光は偏光状態が揃っていない。一方、合成素子は偏光状態によって特性が変化するため、偏光状態が揃っていない場合には合成特性が低下する。これを回避するために、各色光の波長帯域を非常に狭帯域にすると、輝度性能が低下してしまう。更に、特許文献２の構成は、入出射で同一光路を通る反射型液晶表示素子には適用することができない。
【０００５】
本発明は、空間分割を利用して高解像で高輝度な画像を投射することが可能な投射型表示装置およびそれに使用されるアダプタを提供することを例示的な目的とする。
【課題を解決するための手段】
【０００６】
本発明の投射型表示装置は、第１の画像を表示するための第１の画像表示領域と、当該第１の画像表示領域とは異なる位置にあって第２の画像を表示するための第２の画像表示領域と、を有し、入力信号に従って入射光を変調する画像表示素子と、前記画像表示素子を通過した光を結像するリレーレンズと、前記リレーレンズによって前記画像表示素子と共役になる位置に配置され、前記画像表示素子の前記第１の画像表示領域を通過した光と前記第２の画像表示領域を通過した光の光学特性を異ならせる光学特性変換素子と、前記光学特性変換素子を通過した前記第１の画像表示領域を通過した光と前記第２の画像表示領域を通過した光を被投射面に投射する投射光学系と、を有することを特徴とする。
【発明の効果】
【０００７】
本発明によれば、空間分割を利用して高解像で高輝度な画像を投射することが可能な投射型表示装置およびそれに使用されるアダプタを提供することができる。
【図面の簡単な説明】
【０００８】
【図１】本発明のプロジェクタの要部の光路図である。（実施例１）
【図２】図１に示すプロジェクタの偏光状態を示す図である。（実施例１）
【図３】図１に示す光学特性変換素子に適用可能な構造複屈折偏光素子の構成と原理説明図である。（実施例１）
【図４】図１に示す光学特性偏光素子の説明図である。（実施例１）
【図５】本発明のプロジェクタの要部の光路図である。（実施例２）
【図６】本発明のプロジェクタの要部の光路図である。（実施例３）
【図７】本発明のプロジェクタの概略図である。（実施例４）
【発明を実施するための形態】
【０００９】
以下に、本発明の実施例を、添付図面を参照して説明する。
【実施例１】
【００１０】
図１は、実施例１のプロジェクタ（投射型表示装置）の要部の光路図である。実施例１のプロジェクタは、画像表示素子１、リレーレンズ（リレー光学系）２、光学特性変換素子３Ａおよび投射レンズ（投射光学系）４を有する。
【００１１】
画像表示素子１は、入力信号に従って入射光を変調する光変調手段である。プロジェクタは、例えば、左右の視差を利用した立体表示を１台で行うプロジェクタであり、１つの画像表示素子１の異なる領域に左右の画像を同時に表示する空間分割の立体表示を行う。即ち、画像表示素子１は、左眼用画像（第１の画像）を表示するための第１の画像表示領域と第１の画像表示領域とは異なる位置にあって右眼用画像（第２の画像）を表示するための第２の画像表示領域とを有する。しかし、後述するように、第１の画像は投射される主要な画像（例えば、映画の画像）であり、第２の画像は主要な画像に対する付加的な画像（例えば、字幕）であってもよく、プロジェクタは立体画像を表示するものに限定されない。
【００１２】
空間分割の立体表示は、シャッタを用いて右眼用画像と左目用画像を交互に表示する時間分割の立体表示と比べてちらつきがなく視聴者の眼が疲れにくいという特長がある。本実施例の画像表示素子１は、簡単のため、透過型液晶表示パネル（ＬＣＤパネル）として図示されているが、前段に偏光ビームスプリッタを配置して反射型ＬＣＤパネル（反射型表示素子）としてもよいし、デジタルミラーデバイス（ＤＭＤ）素子であってもよい。
【００１３】
画像表示素子１を照明する照明光学系は偏光状態を揃える偏光板または偏光ビームスプリッタが設けられている。このため、画像表示素子１を射出した光の偏光方向は第１の画像を表す光と第２の画像を表す光で同じである。
【００１４】
リレーレンズ２は、画像表示素子１の中間像を結ぶ役割を持つ結像光学系、つまり画像表示素子１からの光をある位置（中間像の位置）に集光する機能を持つ。この中間像の位置、すなわちリレーレンズによって画像表示素子と共役になる位置に、光学特性変換素子３Ａを配置している。ここで、この光学特性変換素子３Ａは、画像表示素子１の中間像の位置（共役な位置）と重なるか、或いは中間像の位置からリレーレンズの焦点距離の10分の１の距離以内の位置に配置されることが望ましい。
【００１５】
光学特性変換素子３Ａは、リレーレンズ２に関して画像表示素子１と光学的に共役に配置され、画像表示素子１の第１の画像表示領域を通過した光と第２の画像表示領域を通過した光の光学特性を異ならせる。本実施例では、光学特性変換素子３Ａは、左眼用画像と右眼用画像に偏光の位相差を与えるが、波長帯域を異ならせてもよい。
【００１６】
特許文献２は、リレーレンズ２の代わりにレンチキュラーレンズを使用して画像表示素子とレンチキュラ―レンズと偏光制御板を一体的に構成している。この組み合わせを波長帯域が異なる色光毎に設けて合成素子（例えば、ダイクロイックミラー）によって合成する場合、合成素子は偏光制御板と投射レンズの間に配置されることになり、合成素子に入射する各色光の偏光方向は不揃いとなる。合成素子の光学薄膜の合成特性は光の偏光方向に依存するから偏光方向が不揃いだと合成性能が低下する。合成性能の低下を防止するために各色光の波長帯域を非常に狭帯域にすると投射画像の輝度が低下する。
【００１７】
これに対して、本実施例では、リレーレンズ２によって画像表示素子１と光学特性変換素子３Ａとを光学的に共役に維持して両者を空間的に離している。このため、画像表示素子１とリレーレンズ２の間、あるいは、リレーレンズ２と光学特性変換素子３Ａの間に合成素子を配置することができ、この場合には合成素子には偏光方向が揃った光が入射するから合成性能を維持して高輝度な画像を投射することができる。
【００１８】
投射レンズ４は、光学特性変換素子３Ａを通過した光をスクリーン（被投射面）に投射する。
【００１９】
動作において、光源から発した光束は非図示の照明光学系によって画像表示素子１を照明する。図２（Ａ）は、画像表示素子１を射出した直後の光束の偏光状態を示す図であり、画像表示素子１の表示面に対応している。ＬおよびＲはそれぞれ左眼用画像と右眼用画像を表す。本実施例では、画像表示素子１の上から下に向かって交互に右眼と左眼の画像が表示されている。図２（Ａ）に示すように、画像表示素子１を射出した直後の光束の偏光状態は左眼用画像Ｌと右眼用画像Ｒで同じであり、上述したように、偏光状態は画像表示素子１の全面について均一に揃っている。
【００２０】
なお、画像表示素子１は、水平方向（Ｈ方向）に１ラインおきに交互に左右画像表示を行ってもよいし、１ラインおきでなく複数ライン置きに表示してもよいし、市松模様のように対角方向に左右画像を表示してもよい。一般に、液晶などの画像表示素子は映像信号に従って垂直ライン（Ｖライン）方向に書き込みが行われることから、垂直方向（Ｖ方向）に交互配列することが好ましい。
【００２１】
画像表示素子１を通過した映像光はリレーレンズ２によって光学特性変換素子３Ａに結像され、光学特性変換素子３Ａによって偏光の位相差が与えられる。図２（Ｂ）は、光学特性変換素子３Ａが入射光に与える位相差を示す図であり、位相差が−λ／４の領域３Ｒと位相差がλ／４の領域３Ｌが交互に配列されている。３Ｒと３Ｌはそれぞれ画像表示素子１の右眼用画像の光Ｒと左眼用画像の光Ｌにそれぞれ対応している。リレーレンズ２によって実像として結像されているため図２Ａに対してＬＲが上下反転している。図２（Ｃ）は、光学特性変換素子３Ａを通過した直後の光束の偏光状態を示す図であり、右眼用画像の光Ｒは右回り円偏光Ｒ’に変換され、左眼用画像の光Ｌは左回り円偏光Ｌ’に変換される。
【００２２】
またこれらの交互に配列された各々の領域の直前にマイクロレンズを配置することで入射光線を平行光化し、光学特性変換の性能を向上させることが可能である。マイクロレンズは、光学特性変換素子の前面に配置される。つまり、この領域ごと、或いは画像表示素子の各々の画素に対応する領域ごとに配置されたマイクロレンズが、斜めに入射する光束の角度を緩める（光学特性変換素子への入射角度を小さくする）ことにより、光学特性変換の性能を向上させる。その結果、所望の偏光状態の光束が光学特性変換素子から出射していくこととなる。尚、このマイクロレンズは、画像表示素子の中間像の位置に配置することが望ましく、この場合光学特性変換素子はマイクロレンズの直後（スクリーン側）に配置する。このマイクロレンズを配置する、という発想は後述する実施例にも適用可能である。
【００２３】
その後、映像光は投射レンズ４によって不図示のスクリーンに投射される。本実施例のスクリーンは、反射時に偏光状態を乱さないシルバースクリーンである。スクリーンに映った画像を左右で逆回転の円偏光に対応した円偏光板（λ／４位相差板と直線偏光板の組み合わせ）で構成された眼鏡で観察すると右眼用画像は右眼に左眼用画像は左眼のみに到達するため、左右視差を利用した立体映像を認識することができる。
【００２４】
光学特性変換素子３Ａには、例えば、構造複屈折を用いた偏光素子を用いることができる。構造複屈折を用いた偏光素子は、例えば、図３（Ａ）に示すように、蒸着したＴｉＯ２層をエッチングして、１次元格子状にした構造を有する。
【００２５】
以下、構造複屈折による位相差発生の原理について説明する。誘電体の１次元格子の周期は波長より短い構造（ｓｕｂ−ｗａｖｅｌｅｎｇｔｈ  ｓｔｒｕｃｔｕｒｅ：ＳＷＳ）として構造複屈折を形成している。このような一次元格子（ＳＷＳ格子）を持つ構造複屈折に関しては、有効屈折率で取り扱うことができる。
【００２６】
図３（Ｂ）において、１次元格子を、格子部の屈折率をｎ１、格子部と格子部との間の媒質の屈折率をｎ２とし、ｎ１、ｎ２の媒質がａ：ｂの比で繰り返す構造とする。格子に垂直に入射する光線の、格子と平行な方向の偏光をＴＥ、格子と直交する方向の偏光をＴＭとすると、それぞれの偏光の有効屈折率ｎＴＥ，ｎＴＭは式（ａ４），（ａ５）で表されることが知られている。
【００２７】
【数１】
2014211585.tif 000003
【００２８】
このとき、ａ：ｂの比率によらずｎＴＥ＞ｎＴＭが成立する。
【００２９】
１次元格子においてｎ１を誘電体、ｎ２を空気としたとき、媒質のピッチに対する比率であるフィリングファクタｆは式（ａ６）で表される。
【００３０】
ｆ＝ａ／（ａ＋ｂ）  ・・・（ａ６）
図３（Ｂ）では、フィリングファクタが約０．５になるようにエッチングされる。図３（Ｃ）は、屈折率ｎ１をＴｉＯ２、屈折率ｎ２を空気とした一次元格子のＴｉＯ２のフィリングファクタｆに対する有効屈折率の変化を表したグラフである。ｆが約０．５において、ＴＥ偏光とＴＭ偏光の屈折率差が最も大きくなる。屈折率が高いＴＥ方向が遅相軸でＴＭ方向が進相軸となり、この屈折率差Δｎと厚さｄをかけたものが位相差となる。
【００３１】
図４は、構造複屈折素子を光学特性変換素子３Ａに適用した例を示す図である。光学特性変換素子３Ａの３Ｒと３ＬはＶライン配列方向に対して格子配列方向を各々−４５°、＋４５°傾けた構造となっている。格子構造は３Ｒと３Ｌで共通であり、格子高さｈ＝５００ｎｍ、格子ピッチ＝１６０ｎｍ、ｆ＝０．８３（ＴｉＯ２：空気＝０．８３：０．１７）である。これにより、３Ｒを経た直線偏光は右回り円偏光に、３Ｌを経た直線偏光は左回り円偏光になる。
【００３２】
複屈折構造素子によって構成される光学特性変換素子３Ａは、例えば、位相差フィルムを微細ピッチで貼り付けて作るフィルム状位相差板に比べて、製造上微細加工に優れており、より高精細な画像にも対応することができる。また、無機材料で構成されて耐光・耐熱性に優れているため、３色の色光が同時に高い光密度で通過する光学特性変換素子３Ａには有機材料のフィルム素子よりも好適である。但し、本発明はフィルム状位相差板が光学特性変換素子３Ａに適用されることを妨げるものではない。なお、本実施例では位相差をλ／４と−λ／４に設定したが、これに限定されるものではない。０とλ／２にすることで直交した直線偏光に変換してもよい。この場合は眼鏡側に直線偏光板を適用することでやはり立体視が可能になる。
【実施例２】
【００３３】
図５は、実施例２のプロジェクタの要部の光路図である。本実施例は光学特性変換素子３Ａの代わりに、駆動型液晶素子としての光学特性変換素子３Ｂを使用する点で実施例１と相違する。光学特性変換素子３Ｂの基本原理は光学特性変換素子３Ａと同様であるが、光学特性変換素子３Ｂは時間と共に位相差特性が切り替えるように駆動される点が異なる。
【００３４】
図５（Ａ）はある時間における光学特性変換素子３Ｂの駆動状態を示し、図５（Ｂ）は次の時間の光学特性変換素子３Ｂの駆動状態を示している。図５（Ａ）と図５（Ｂ）では、光学特性変換素子３Ｂの白部分とドット部分の位置が変化していることが分かる。
【００３５】
光学特性変換素子３Ｂにおいて、白部分は入射光の偏光にλ／４の位相差を与えることを示し、ドット部分は入射光の偏光に‐λ／４の位相差を与えることを示している。図５（Ａ）の状態と図５（Ｂ）の状態が時間と共に高速で切り替わるように駆動される。例えば、図５に示す光学特性変換素子３Ｂの一番上の領域が与える位相差がλ／４、−λ／４、λ／４、−λ／４と切り替わり、上から２番目の領域が与える位相差は−λ／４、λ／４、−λ／４、λ／４と切り替わる。また、画像表示素子１Ｂの第１の画像表示領域と第２の画像表示領域も駆動型液晶素子の位相差特性の切り替えに応じて第１の画像表示領域と第２の画像表示領域を交互に表示するように駆動される。この動作を高速に行うことによって、視聴者の目にはライン毎に隙間のない画像が認識され、実施例１に比べてより高精細な画像を認識されるようになる。
【００３６】
図５（Ｃ）は、駆動型液晶素子の一例である透過型液晶素子の断面図である。透過型液晶素子は、封止材３１、液晶３２、遮光膜３３、透明電極部３４、トランジスタ部３５を有する。
【００３７】
駆動型液晶を使用するメリットは、位相変化を与える場所を任意に変えられるという点である。立体表示だけでなく、例えば、映画の映像という主要な画像に対して画面下部に字幕、時刻、広告などの付加的な画像を表示させれば、その付加的画像を特定の人にのみ表示することができる。
【実施例３】
【００３８】
図６は、実施例３のプロジェクタの要部の光路図である。光学特性変換素子３Ｃは、２つの特性のダイクロイックフィルタがアレイ上に配列された素子によって構成されている点で光学特性変換素子３Ａと異なる。白部分は左眼用画像のための第１の３原色光を通過させる透過特性の第１のダイクロイックフィルタであり、ドット部分は右眼用画像のための第２の３原色光を透過させる特性の第２のダイクロイックフィルタである。第１のダイクロイックフィルタと第２のダイクロイックフィルタは分光透過率特性が異なる。
【００３９】
スクリーンにはライン毎に異なる波長帯域の第１の３原色光と第２の３原色光が交互に表示される。スクリーンとしては一般的な拡散スクリーンが用いることができる。視聴者は左右でそれぞれ第１、第２のダイクロイックフィルタの眼鏡を使用することで左右画像を左右目で別々に認識でき、従って立体画像を視聴できることになる。
【実施例４】
【００４０】
図７は、二次元（２Ｄ）表示と三次元（３Ｄ）表示を行うことが可能なシステム（投射型表示装置）の概略図である。図７（Ａ）は、３Ｄアダプタ２０が取り付けられていない状態を示す図であり、プロジェクタは照明光学系、画像表示素子１などを含む本体１０と、本体１０に着脱可能に装着され、投射レンズ４を含む鏡筒１２と、から構成されている。図７（Ａ）に示すプロジェクタは画像を二次元表示することができる。
【００４１】
図７（Ｂ）は、リレーレンズ２、光学特性変換素子３Ａ（３Ｂなどでもよい）を有する３Ｄアダプタ２０が本体１０と鏡筒１２の間に着脱可能に装着されている状態を示す図である。３Ｄアダプタ２０を取り付けることにより、例えば、３Ｄの映画に対応して３Ｄ画像を表示することができる。また、３Ｄアダプタ２０は、光路長を調整するためのダミーガラス５を更に有してもよい。
【００４２】
以上、本発明の実施例について説明したが、本発明はこれらの実施例に限定されず、その要旨の範囲内で種々の変形及び変更が可能である。
【産業上の利用可能性】
【００４３】
投射型表示装置は、立体画像を表示する液晶プロジェクタの分野に適用することができる。
【符号の説明】
【００４４】
１…画像表示素子、２…リレーレンズ、３Ａ、３Ｂ、３Ｃ…光学特性変換素子、４…投射レンズ（投射光学系）
【図２】
2014211585.tif 000004
【図１】
2014211585.tif 000005
【図３】
2014211585.tif 000006
【図４】
2014211585.tif 000007
【図５】
2014211585.tif 000008
【図６】
2014211585.tif 000009
【図７】
2014211585.tif 000010